(57)【要約】【課題】可動側カバー部のガタツキや浮き上がり、及び、それに起因する異音の発生を確実に防止できるヒューズユニット用保護カバーを提供する。【解決手段】ヒューズユニット３０に固定側ロック部６によって固定された固定側カバー３と、固定側カバー部３にヒンジ部４を介して設けられ、ヒンジ部４を支点としてヒューズユニット３０を被う閉位置とヒューズユニット３０を露出する開位置との間で変移自在である可動側カバー部５とを有するカバー本体２と、可動側カバー部５に支持され、可動側カバー部５の閉位置でヒューズユニット３０の両面を挟み込むロック位置と可動側カバー部５の閉位置から開位置への移動を許容する解除位置との間で変移する可動側ロック部材１０とを備えた。【選択図】図４
2010170780.tif 000002
【特許請求の範囲】
【請求項１】
ヒューズユニットを被うヒューズユニット用保護カバーであって、
前記ヒューズユニットに固定側ロック部によって固定された固定側カバーと、前記固定側カバー部にヒンジ部を介して設けられ、前記ヒンジ部を支点として前記ヒューズユニットを被う閉位置と前記ヒューズユニットを露出する開位置との間で変移自在である可動側カバー部とを有するカバー本体と、
前記可動側カバー部に支持され、前記可動側カバー部の閉位置で前記ヒューズユニットの両面を挟み込むロック位置と前記可動側カバー部の閉位置から開位置への移動を許容する解除位置との間で変移する可動側ロック部材とを備えたことを特徴とするヒューズユニット用保護カバー。
【請求項２】
請求項１記載のヒューズユニット用保護カバーであって、
前記可動側ロック部材は、前記ヒューズユニットの上下面を挟持する２箇所の挟持部を有し、２箇所の前記挟持部の少なくともいずれか一方には前記ヒューズユニット側からの押圧力によって撓み変形する撓み変形部が設けられたことを特徴とするヒューズユニット用保護カバー。
【請求項３】
請求項１又は請求項２記載のヒューズユニット用保護カバーであって、
前記可動側カバー部と前記可動側ロック部材の少なくともいずれか一方には、前記可動側ロック部材をロック位置側に付勢する第１付勢部が設けられたことを特徴とするヒューズユニット用保護カバー。
【請求項４】
請求項３記載のヒューズユニット用保護カバーであって、
前記可動側カバー部と前記可動側ロック部材の少なくともいずれか一方には、前記第１付勢部の付勢力よりも弱く、且つ、ロック位置に位置する前記可動側ロック部材を解除方向に付勢する第２付勢部が設けられたことを特徴とするヒューズユニット用保護カバー。
【請求項５】
請求項１〜請求項４のいずれかに記載のヒューズユニット用保護カバーであって、
前記可動側ロック部材は、前記可動側カバー部に着脱自在に設けられたことを特徴とするヒューズユニット用保護カバー。
【発明の詳細な説明】
【技術分野】
【０００１】
本発明は、ヒューズユニットを被うヒューズユニット用保護カバーに関する。
【背景技術】
【０００２】
例えば、車両等に搭載されるバッテリはバッテリポストを有し、このバッテリポストにヒューズユニットが直付けされるものがある。このヒューズユニットは、可溶部及び接続端子部を有する導電材のヒューズエレメントと、可溶部及び端子接続部を露出するようヒューズエレメントの外面を被うように設けられた樹脂ボディとを備えている。そして、可溶部及び端子接続部の絶縁、防水、防塵等を行うために、ヒューズユニットをヒューズユニット用保護カバーで被っている。
【０００３】
従来のかかるヒューズユニット用保護カバーとしては、特許文献１に開示されたものがある。このヒューズユニット用保護カバー１００は、図１４及び図１５に示すように、固定側カバー部１０１と、この固定側カバー部１０１にヒンジ部１０２を介して連結された可動側カバー部１０３とを備え、バッテリ１１０に取り付けされたヒューズユニット１２０の上面を被っている。固定側カバー部１０１の両側には、固定側ロック部１０４がそれぞれ設けられ、この各固定側ロック部１０４がヒューズユニット１２０の被ロック部１２１に係止されている。可動側カバー部１０３は、ヒンジ部１０２を支点としてヒューズユニット１２０を被う閉位置（図１５の実線位置）とヒューズユニット１２０を露出させる開位置（図１５の仮想線位置）との間で移動でき、メンテナンスや可溶部（図示せず）の視認等の利便性が図られる。
【０００４】
このように可動側カバー部１０３を有するヒューズユニット用保護カバー１００は、ガタツキや浮き上がり、及び、これに起因する異音の発生を防止するために可動側カバー部１０３もヒューズユニット１２０にロックすることが望ましい。
【０００５】
ここで、可動側ロック部１０６の構造としては、図１６（ａ）、（ｂ）に示すものが容易に考えられる。つまり、可動側ロック部１０６は、可動側カバー部１０３の内面に一体に設けた上面挟持部１０７と、可動側カバー部１０３の側壁の下端に一体に設けた下面挟持部１０８とから構成されている。図１７に示すように、可動側カバー部１０３を開位置から閉位置に移動すると、上面挟持部１０７と下面挟持部１０８によってヒューズユニット１２０の上下面を挟持する。
【先行技術文献】
【特許文献】
【０００６】
【特許文献１】特開２００２−２８９１７１号公報
【発明の概要】
【発明が解決しようとする課題】
【０００７】
しかしながら、このように可動側カバー部１０３に可動側ロック部１０６を一体に設けた構造では、下面挟持部１０８の先端の移動軌跡（図１７にてａで示す）がヒンジ部１０２を支点とする回転軌跡となるため、可動側カバー部１０３の移動過程でヒューズユニット１２０に干渉する位置に下面挟持部１０８を設ける必要があるが、その干渉寸法を大きく設定すると可動側カバー部１０３の開閉ができなくなる。従って、ヒューズユニット１２０に対する下面挟持部１０８の引っ掛かり寸法ｄを小さくしか設定できないため、振動等によってロックが容易に外れる恐れがあり、可動側カバー部１０３のガタツキや浮き上がり、及び、それに起因する異音の発生を確実に防止できないという問題がある。
【０００８】
そこで、本発明は、前記した課題を解決すべくなされたものであり、可動側カバー部のガタツキや浮き上がり、及び、それに起因する異音の発生を確実に防止できるヒューズユニット用保護カバーを提供することを目的とする。
【課題を解決するための手段】
【０００９】
請求項１の発明は、ヒューズユニットを被うヒューズユニット用保護カバーであって、前記ヒューズユニットに固定側ロック部によって固定された固定側カバーと、前記固定側カバー部にヒンジ部を介して設けられ、前記ヒンジ部を支点として前記ヒューズユニットを被う閉位置と前記ヒューズユニットを露出する開位置との間で変移自在である可動側カバー部とを有するカバー本体と、前記可動側カバー部に支持され、前記可動側カバー部の閉位置で前記ヒューズユニットの両面を挟み込むロック位置と前記可動側カバー部の閉位置から開位置への移動を許容する解除位置との間で変移する可動側ロック部材とを備えたことを特徴とする。
【００１０】
請求項２の発明は、請求項１記載のヒューズユニット用保護カバーであって、前記可動側ロック部材は、前記ヒューズユニットの上下面を挟持する２箇所の挟持部を有し、２箇所の前記挟持部の少なくともいずれか一方には前記ヒューズユニット側からの押圧力によって撓み変形する撓み変形部が設けられたことを特徴とする。
【００１１】
請求項３の発明は、請求項１又は請求項２記載のヒューズユニット用保護カバーであって、前記可動側カバー部と前記可動側ロック部材の少なくともいずれか一方には、前記可動側ロック部材をロック位置側に付勢する第１付勢部が設けられたことを特徴とする。
【００１２】
請求項４の発明は、請求項３記載のヒューズユニット用保護カバーであって、前記可動側カバー部と前記可動側ロック部材の少なくともいずれか一方には、前記第１付勢部の付勢力よりも弱く、且つ、ロック位置に位置する前記可動側ロック部材を解除方向に付勢する第２付勢部が設けられたことを特徴とする。
【００１３】
請求項５の発明は、請求項１〜請求項４のいずれかに記載のヒューズユニット用保護カバーであって、前記可動側ロック部材は、前記可動側カバー部に着脱自在に設けられたことを特徴とする。
【発明の効果】
【００１４】
請求項１の発明によれば、可動側ロック部材は可動側カバー部とは別体であり、可動側カバー部の移動軌跡とは別個独立に可動側ロック部材の解除位置とロック位置間の移動軌跡を設定できることから、解除位置では可動側ロック部材がヒューズユニットに干渉しない位置とし、ロック位置ではヒューズユニットを確実にロックする位置とすることができる。以上より、振動等によってロックが容易に外れる恐れがなく、可動側カバー部のガタツキや浮き上がり、及び、それに起因する異音の発生を確実に防止できる。
【００１５】
請求項２の発明によれば、請求項１の発明の効果に加え、２箇所の挟持部の少なくとも一方は、ヒューズユニットに撓み変形部による撓み変形状態で支持されるため、可動側ロック部材やヒューズユニットに寸法誤差があっても確実にロックできる。又、可動側ロック部材がその移動過程でヒューズユニットに干渉するような移動軌跡である場合にも、干渉する側の挟持部に撓み変形部を設ければ、可動側ロック部材の移動が可能であるため、設計の自由度が増す。
【００１６】
請求項３の発明によれば、請求項１又は請求項２の発明の効果に加え、振動等によって可動側ロック部材が解除方向に変移してロック解除するような事態を防止できる。
【００１７】
請求項４の発明によれば、請求項３の発明の効果に加え、ロック位置に位置する可動側ロック部材は、第１付勢部の付勢力によってロック方向に、第２付勢部の付勢力によって解除方向にそれぞれ付勢され、可動側ロック部材が双方向からの付勢力を受けているため、可動側ロック部材と可動側カバー部間のガタツキを確実に防止できる。
【００１８】
請求項５の発明によれば、請求項１〜請求項４の発明の効果に加え、可動側カバー部に支持する可動側ロック部材を異なる形態のものに変更できるため、ヒューズユニットの形態変更に可動側ロック部材の変更のみで対応できる。
【図面の簡単な説明】
【００１９】
【図１】本発明の一実施形態を示し、ヒューズユニットにヒューズユニット用保護カバーを装着した状態を示す斜視図である。
【図２】本発明の一実施形態を示し、ヒューズユニットにヒューズユニット用保護カバーを装着した状態で、図１とは異なる方向から見た斜視図である。
【図３】本発明の一実施形態を示し、（ａ）はヒューズユニットにヒューズユニット用保護カバーを装着した状態を示す平面図、（ｂ）はヒューズユニットにヒューズユニット用保護カバーを装着した状態を示す底面図である。
【図４】本発明の一実施形態を示し、（ａ）は可動側ロック部材がロック位置に位置する場合の図３（ａ）のＡ１−Ａ１線断面図、（ｂ）は可動側ロック部材が解除位置に位置する場合の図３（ａ）のＡ１−Ａ１線断面図である。
【図５】本発明の一実施形態を示し、図４（ａ）のＢ部拡大図である。
【図６】本発明の一実施形態を示し、ヒューズユニット用保護カバーの分解斜視図である。
【図７】本発明の一実施形態を示し、カバー本体に可動側ロック部材を装着する過程を示す断面図である。
【図８】本発明の一実施形態を示し、（ａ）はカバー本体の平面図、（ｂ）は（ａ）のＣ部拡大図である。
【図９】本発明の一実施形態を示し、（ａ）は可動側ロック部材の正面図、（ｂ）は（ａ）のＤ部拡大図、（ｃ）は（ａ）のＥ部拡大図、（ｄ）は（ａ）のＦ部拡大図である。
【図１０】本発明の一実施形態を示し、（ａ）は可動側ロック部材がロック位置に位置する場合の図８（ａ）のＡ２−Ａ２線断面図、（ｂ）は可動側ロック部材が解除位置に位置する場合の図８（ａ）のＡ２−Ａ２線断面図である。
【図１１】本発明の一実施形態を示し、可動側ロック部材の正面図である。
【図１２】本発明の一実施形態を示し、（ａ）はヒューズユニットにヒューズユニット用保護カバーを被せた状態を示す平面図、（ｂ）はヒューズユニットにヒューズユニット用保護カバーを被せた状態を示す底面図である。
【図１３】本発明の一実施形態を示し、（ａ）は可動側ロック部材がロック位置に位置する場合の図１２（ａ）のＡ３−Ａ３線断面図、（ｂ）は（ａ）のＧ部拡大図である。
【図１４】従来の可動側保護カバーをヒューズユニットに装着した状態を示す分解斜視図である。
【図１５】従来の可動側保護カバーをヒューズユニットに装着した状態を示す側面図である。
【図１６】（ａ）は従来例より容易に考えられる可動側保護カバーの平面図、（ｂ）は（ａ）のＨ−Ｈ線断面図である。
【図１７】従来例より容易に考えられる可動側保護カバーをヒューズユニットに装着した状態を示す断面図である。
【発明を実施するための形態】
【００２０】
以下、本発明の一実施形態を図面に基づいて説明する。
【００２１】
（一実施形態）
図１〜図１３は本発明の一実施形態を示す。図１はヒューズユニット３０にヒューズユニット用保護カバー１を装着した状態を示す斜視図、図２はヒューズユニット３０にヒューズユニット用保護カバー１を装着した状態で、図１とは異なる方向から見た斜視図、図３（ａ）はヒューズユニット３０にヒューズユニット用保護カバー１を装着した状態を示す平面図、図３（ｂ）はヒューズユニット３０にヒューズユニット用保護カバー１を装着した状態を示す底面図、図４（ａ）は可動側ロック部材１０がロック位置に位置する場合の図３（ａ）のＡ１−Ａ１線断面図、図４（ｂ）は可動側ロック部材１０が解除位置に位置する場合の図３（ａ）のＡ１−Ａ１線断面図、図５は図４（ａ）のＢ部拡大図、図６はヒューズユニット用保護カバー１の分解斜視図、図７はカバー本体２に可動側ロック部材１０を装着する過程を示す断面図、図８（ａ）はカバー本体２の平面図、図８（ｂ）は図８（ａ）のＣ部拡大図、図９（ａ）は可動側ロック部材１０の正面図、図９（ｂ）は図９（ａ）のＤ部拡大図、図９（ｃ）は図９（ａ）のＥ部拡大図、図９（ｄ）は図９（ａ）のＦ部拡大図、図１０（ａ）は可動側ロック部材１０がロック位置に位置する場合の図８（ａ）のＡ２−Ａ２線断面図、図１０（ｂ）は可動側ロック部材１０が解除位置に位置する場合の図８（ａ）のＡ２−Ａ２線断面図である。
【００２２】
先ず、ヒューズユニット用保護カバー１で上面が被われるヒューズユニット３０の構成を簡単に説明する。
【００２３】
図１〜図５に示すように、ヒューズユニット３０は、略Ｌ字状に形成されたヒューズエレメント３１と、このヒューズエレメント３１の外面の適所を被う樹脂ボディ３２とを備えている。ヒューズエレメント３１には、可溶部（図示せず）及び複数の端子接続部３３，３４，３５が設けられている。複数の端子接続部３３，３４，３５は、ポスト用孔３３ａを有するバッテリ用端子部３３、スタッドボルト３４ａを有するスタータモータ用端子部３４、負荷用タブ端子部３５等である。バッテリ用端子部３３は、ポスト用孔３３ａを縮径する方向に締結することによってバッテリポスト（図示せず）に固定される。
【００２４】
樹脂ボディ３２は、ヒューズエレメント３１のインサート成形によって絶縁樹脂材より形成されている。樹脂ボディ３２からは可溶部（図示せず）、バッテリ用端子部３３、スタータモータ用端子部３４、負荷用タブ端子部３５等が露出されていると共に、樹脂ボディ３２によって負荷用タブ端子部３５のコネクタハウジング部３２ａが形成されている。又、樹脂ボディ３２には、ユニット側被ロック部３６が設けられている。
【００２５】
ヒューズユニット用保護カバー１は、図１〜図１０に示すように、合成樹脂製のカバー本体２と、これとは別体で、同じく合成樹脂製の可動側ロック部材１０とから構成されている。カバー本体２は、固定側カバー部３と、この固定側カバー部３にヒンジ部４を介して設けられた可動側カバー部５とを備えている。固定側カバー部３には固定側ロック部６が設けられている。固定側ロック部６はヒューズユニット３０のユニット側被ロック部３６に係止されている。これによって、ヒューズユニット用保護カバー１の固定側カバー部３がヒューズユニット３０にロックされている。
【００２６】
可動側カバー部５は、ヒンジ部４を支点としてヒューズユニット３０の上面を被う閉位置（図４（ｂ）及び図１０（ｂ）の実線位置）とヒューズユニット３０の上面を露出する開位置（図４（ｂ）及び図１０（ｂ）の仮想線位置）との間で変移する。
【００２７】
可動側カバー部５には、ロック部材用開口７が設けられていると共に、ロック部材用開口７に臨む位置に支持ピン部８が一体に設けられている。ロック部材用開口７は、ほぼ可動側ロック部材１０によって閉塞される。可動側カバー部５の側壁の内面には、第１付勢部９が一体に設けられている。第１付勢部９は、図８（ａ）、（ｂ）に詳しく示すように、側壁の内面より両持ち梁状に突出されており、可動側ロック部材１０をロック位置側に付勢する。
【００２８】
可動側ロック部材１０は、図９（ａ）〜（ｄ）に示すように、操作つまみ部１１と、これに連接された上面挟持部１２と、操作つまみ部１１と上面挟持部１２間に形成されたピン挿入溝１３と、操作つまみ部１１より垂下され、連結アーム部１４を介して設けられた下面挟持部１５と、上面挟持部１２より突設された第２付勢部１６とを備えている。可動側ロック部材１０は、その下面挟持部１５側を可動側カバー部５の上方よりロック部材用開口７に、且つ、そのピン挿入溝１３に支持ピン部８を挿入（図７の矢印方向）する。これにより、可動側ロック部材１０が可動側カバー部５に支持される。又、前記と逆の動作によって引き抜けば可動側ロック部材１０を可動側カバー部５より取り外すことができる。つまり、可動側ロック部材１０は、カバー本体２に着脱自在に設けられている。
【００２９】
可動側ロック部材１０は、支持ピン部８を支点としてロック位置（図１０（ａ）の位置）と解除位置（図１０（ｂ）の位置）との間で変移する。ロック位置では、図４（ａ）に示すように、上面挟持部１２と下面挟持部１５がヒューズユニット３０のバッテリ用端子部３３の上下面を挟持することによって可動側カバー部５がヒューズユニット３０にロックされる。解除位置では、図４（ｂ）に示すように、上面挟持部１２と下面挟持部１５がヒューズユニット３０のバッテリ用端子部３３の上下面より外れ、可動側カバー部５の開閉を許容する。
【００３０】
上面挟持部１２の下端部と下面挟持部１５の上端部には、ヒューズユニット３０側からの押圧力によって撓み変形する撓み変形部１２ａ，１５ａがそれぞれ設けられている。各撓み変形部１２ａ，１５ａは、上面挟持部１２の下端部と下面挟持部１５の上端部に変形逃げ孔１２ｂ，１５ｂを開けることによって形成されている。
【００３１】
第２付勢部１６は、可動側カバー部５の上面に当接する片持ち梁状の板部にて構成され、可動側カバー部５からの反力によって可動側ロック部材１０を解除方向に付勢する。つまり、可動側ロック部材１０には、第１付勢部９からのロック方向への付勢力と第２付勢部１６からの解除方向への付勢力が作用している。そして、第２付勢部１６の付勢力は第１付勢部９の付勢力よりも弱く、可動側ロック部材１０は、操作つまみ部１１を操作しない限りロック位置に位置する。
【００３２】
次に、ヒューズユニット用保護カバー１の組み付け作業を説明する。可動側カバー部５に可動側ロック部材１０が取り付けされているものとして説明する。先ず、ヒューズユニット用保護カバー１の固定側カバー部３をヒューズユニット３０の組み付け位置の上方に合わせ、固定側カバー部３を下方に移動しつつヒューズユニット３０に挿入する。固定側カバー部３を所定の組み付け位置まで挿入すると、固定側カバー部３の固定側ロック部６がヒューズユニット３０のユニット側被ロック部３６に係止される。これにより、固定側カバー部３がヒューズユニット３０に固定される。
【００３３】
次に、作業者が操作つまみ部１１を操作して第１付勢部９の付勢力に抗して可動側ロック部材１０を解除位置とする。この解除位置を保持した状態で、可動側カバー部５を開位置から閉位置に回転する（図４（ｂ）の仮想線位置から実線位置）。可動側カバー部５を閉位置まで回転すると、作業者が操作つまみ部１１を操作して可動側ロック部材１０を解除位置からロック位置に移動する（図４（ａ）参照）。すると、上面挟持部１２と下面挟持部１５がヒューズユニット３０のバッテリ用端子３３の上下面を挟持する。これによって、可動側カバー部５がヒューズユニット３０に固定される。
【００３４】
又、メンテナンス等のため、可動側カバー部５を開ける場合には、作業者が操作つまみ部１１を図４（ｂ）や図１０（ｂ）の矢印方向に操作し、第１付勢部９の付勢力等に抗して可動側ロック部材１０を解除位置とする。この解除位置を保持した状態で、可動側カバー部５を閉位置から開位置に回転すれば良い。
【００３５】
以上、ヒューズユニット用保護カバー１は、ヒューズユニット３０に固定側ロック部６によって固定された固定側カバー部３と、固定側カバー部３にヒンジ部４を介して設けられ、ヒンジ部４を支点として閉位置と開位置の間で変移自在である可動側カバー部５とを有するカバー本体２と、可動側カバー部５に支持され、可動側カバー部５の閉位置でヒューズユニット３０の両面を挟み込むロック位置と可動側カバー部５の閉位置から開位置への移動を許容する解除位置との間で変移する可動側ロック部材１０とを備えている。従って、可動側ロック部材１０は可動側カバー部５とは別体であり、可動側カバー部５の移動軌跡とは別個に可動側ロック部材１０の解除位置とロック位置間の移動軌跡を設定できることから、解除位置では可動側ロック部材１０がヒューズユニット３０に干渉しない位置とし、ロック位置ではヒューズユニット３０を確実にロックする位置とすることができる。以上より、振動等によってロックが容易に外れる恐れがなく、可動側カバー部５のガタツキや浮き上がり、及び、それに起因する異音の発生を確実に防止できる。
【００３６】
この実施形態では、可動側ロック部材１０は、ヒューズユニット３０の上下面を挟持する上面挟持部１２と下面挟持部１５を有し、上面挟持部１２と下面挟持部１５の双方にはヒューズユニット３０側からの押圧力によって撓み変形する撓み変形部１２ａ，１５ａが設けられている。従って、上面挟持部１２及び下面挟持部１５は、ヒューズユニット３０に撓み変形部１２ａ，１５ａによる撓み変形状態でそれぞれ支持されるため、可動側ロック部材１０やヒューズユニット３０に寸法誤差があっても確実にロックできる。又、この実施形態のように、可動側ロック部材１０がその移動過程でヒューズユニット３０に干渉するような移動軌跡である場合にも、上面挟持部１２及び下面挟持部１５の双方に撓み変形部を設けることにより、可動側ロック部材１０の移動が可能であるため、設計の自由度が増す。又、上面挟持部１２と下面挟持部１５のいずれか一方にのみ撓み変形部を設けても良い。
【００３７】
この実施形態では、可動側カバー部５には可動側ロック部材１０をロック位置側に付勢する第１付勢部９が設けられているので、振動等によって可動側ロック部材１０が解除方向に変移してロック解除するような事態を極力防止できる。第１付勢部９は、可動側ロック部材１０に設けても、可動側カバー部５と可動側ロック部材１０の双方に設けても良い。
【００３８】
この実施形態では、可動側カバー部５には、第１付勢部９の付勢力よりも弱く、且つ、ロック位置に位置する可動側ロック部材１０を解除方向に付勢する第２付勢部１６が設けられているので、ロック位置に位置する可動側ロック部材１０は、第１付勢部９の付勢力によってロック方向に、第２付勢部１６の付勢力によって解除方向にそれぞれ付勢され、可動側ロック部材１０が双方向からの付勢力を受けているため、可動側ロック部材１０と可動側カバー部５間のガタツキを確実に防止できる。
【００３９】
（可動側ロック部材の変更）
図１１〜図１３は、前記とは異なる形態のヒューズユニット３０Ａにヒューズユニット用保護カバー１を適用する場合を示し、図１１は可動側ロック部材１０Ａの正面図、図１２（ａ）はヒューズユニット３０Ａにヒューズユニット用保護カバー１を装着した状態を示す平面図、図１２（ｂ）はヒューズユニット３０Ａにヒューズユニット用保護カバー１を装着した状態を示す底面図、図１３（ａ）は可動側ロック部材１０Ａがロック位置に位置する場合の図１２（ａ）のＡ３−Ａ３線断面図、図１３（ｂ）は図１３（ａ）のＧ部拡大図である。
【００４０】
図１２（ａ）、（ｂ）及び図１３（ａ）、（ｂ）に示すように、ヒューズユニット３０Ａは、ヒューズエレメント３１の周縁端からバッテリ用端子部３３のポスト用孔３３ａまでの寸法ｓ２が、前記のもの（ポスト用孔までの寸法はｓ１）に対して長く設定されている。そのため、可動側ロック部材１０Ａも、図１１に示すように、連結アーム部１４と上面挟持部１２及び下面挟持部１５の距離ｄ２が前記のもの（双方間の距離はｄ１）より長いものが使用されている。従って、可動側ロック部材１０Ａは、ヒューズユニット３０Ａの周縁端より更に内側の位置でヒューズユニット３０Ａを挟持でき、解除されにくいロック状態とすることができる。
【００４１】
他の構成は、同様であるため、同一構成箇所には同一符号を付してその説明を省略する。
【００４２】
可動側ロック部材１０Ａは、可動側カバー部５に着脱自在に設けられているので、可動側カバー部５に支持する可動側ロック部材１０Ａを異なる形態のものに変更できるため、ヒューズユニット３０Ａの形態変更に可動側ロック部材１０Ａの変更のみで対応できる。
【符号の説明】
【００４３】
１  ヒューズユニット用保護カバー
２  カバー本体
３  固定側カバー部
４  ヒンジ部
５  可動側カバー部
６  固定側ロック部
９  第１付勢部
１０，１０Ａ  可動側ロック部材
１２  上面挟持部（挟持部）
１２ａ  撓み変形部
１５  下面挟持部（挟持部）
１５ａ  撓み変形部
１６  第２付勢部
３０，３０Ａ  ヒューズユニット
【図１】
2010170780.tif 000003
【図２】
2010170780.tif 000004
【図３】
2010170780.tif 000005
【図４】
2010170780.tif 000006
【図５】
2010170780.tif 000007
【図６】
2010170780.tif 000008
【図７】
2010170780.tif 000009
【図８】
2010170780.tif 000010
【図９】
2010170780.tif 000011
【図１０】
2010170780.tif 000012
【図１１】
2010170780.tif 000013
【図１２】
2010170780.tif 000014
【図１３】
2010170780.tif 000015
【図１４】
2010170780.tif 000016
【図１５】
2010170780.tif 000017
【図１６】
2010170780.tif 000018
【図１７】
2010170780.tif 000019